(57)【要約】【課題】本発明は映像信号取得方法及び映像信号取得装置を提供する。該方法は、サンプリンググレースケールのグレースケール切換画面の輝度信号を測定するステップと、測定されたサンプリンググレースケールのグレースケール切換画面の輝度信号に対して二次元非線形フィッティング操作を行うステップとを含む。ここで、二次元非線形フィッティング操作は、二次元最小二乗法を用いてフィッティング操作を行う。本発明は映像信号取得装置を更に提供する。本発明はサンプリンググレースケールのグレースケール切換画面の輝度信号に対して、二次元非線形フィッティング操作を用いて、異なるグレースケール切換画面の輝度信号を効率的に取得できる。
2017502323.tif 000002
【特許請求の範囲】
【請求項１】
映像信号取得方法であって、
サンプリンググレースケールのグレースケール切換画面の輝度信号を測定するステップと、
測定された前記サンプリンググレースケールのグレースケール切換画面の輝度信号に対して二次元非線形フィッティング操作を行って、全グレースケール切換画面の輝度信号を取得するステップと、
前記全グレースケール切換画面における低グレースケール切換画面の輝度信号に対して輝度補償を行うステップとを含み、
前記低グレースケール切換画面の切り換え後の画面のグレースケールは０〜４８であり、
前記二次元非線形フィッティング操作は、二次元最小二乗法を用いてフィッティング操作を行っており、
前記二次元最小二乗法を用いてフィッティング操作を行うステップは、
前記サンプリンググレースケールのグレースケール切換画面の輝度信号に基づき下記二変数の多項式関数を構築するステップと、
2017502323.tif 000008
（ここで、ｚは前記全グレースケール切換画面の輝度信号であり、ｎは前記全グレースケール切換画面のグレースケール数である。）
を含むことを特徴とする映像信号取得方法。
【請求項２】
前記切り換え前の画面のサンプリング数ｐは９であり、前記切り換え後の画面のサンプリング数ｑは９であることを特徴とする請求項１に記載の映像信号取得方法。
【請求項３】
前記切り換え前の画面のサンプリング数ｐは１７であり、前記切り換え後の画面のサンプリング数ｑは１７であることを特徴とする請求項１に記載の映像信号取得方法。
【請求項４】
前記全グレースケール切換画面の切り換え前の画面のグレースケール数は２５６であり、前記全グレースケール切換画面の切り換え後の画面のグレースケール数は２５６であることを特徴とする請求項１に記載の映像信号取得方法。
【請求項５】
映像信号取得方法であって、
サンプリンググレースケールのグレースケール切換画面の輝度信号を測定するステップと、
測定された前記サンプリンググレースケールのグレースケール切換画面の輝度信号に対して二次元非線形フィッティング操作を行って、全グレースケール切換画面の輝度信号を取得するステップとを含み、
前記二次元非線形フィッティング操作は、二次元最小二乗法を用いてフィッティング操作を行う
ことを特徴とする映像信号取得方法。
【請求項６】
前記二次元最小二乗法を用いてフィッティング操作を行うステップは、
前記サンプリンググレースケールのグレースケール切換画面の輝度信号に基づき下記二変数の多項式関数を構築するステップと、
2017502323.tif 000009
（ここで、ｚは前記全グレースケール切換画面の輝度信号であり、ｎは前記全グレースケール切換画面のグレースケール数である。）
を含むことを特徴とする請求項５記載の映像信号取得方法。
【請求項７】
前記切り換え前の画面のサンプリング数ｐは９であり、前記切り換え後の画面のサンプリング数ｑは９であることを特徴とする請求項６に記載の映像信号取得方法。
【請求項８】
前記切り換え前の画面のサンプリング数ｐは１７であり、前記切り換え後の画面のサンプリング数ｑは１７であることを特徴とする請求項６に記載の映像信号取得方法。
【請求項９】
前記全グレースケール切換画面の切り換え前の画面のグレースケール数は２５６であり、前記全グレースケール切換画面の切り換え後の画面のグレースケール数は２５６であることを特徴とする請求項６に記載の映像信号取得方法。
【請求項１０】
前記映像信号取得方法は、
前記全グレースケール切換画面における低グレースケール切換画面の輝度信号に対して輝度補償を行うステップを更に含み、
前記低グレースケール切換画面の切り換え後の画面のグレースケールは０〜４８である、
ことを特徴とする請求項５に記載の映像信号取得方法。
【請求項１１】
映像信号取得装置であって、
サンプリンググレースケールのグレースケール切換画面の輝度信号を測定するためのサンプリンググレースケール輝度測定モジュールと、
測定された前記サンプリンググレースケールのグレースケール切換画面の輝度信号に対して二次元非線形フィッティング操作を行って、全グレースケール切換画面の輝度信号を取得するための全グレースケール輝度取得モジュールとを含み、
前記全グレースケール輝度取得モジュールは、二次元最小二乗法を用いて前記二次元非線形フィッティング操作を行う
ことを特徴とする映像信号取得装置。
【請求項１２】
前記全グレースケール輝度取得モジュールが二次元最小二乗法を用いて前記二次元非線形フィッティング操作を行うことは、
前記サンプリンググレースケールのグレースケール切換画面の輝度信号に基づき下記二変数の多項式関数を構築するステップと、
2017502323.tif 000010
（ここで、ｚは前記全グレースケール切換画面の輝度信号であり、ｎは前記全グレースケール切換画面のグレースケール数である。）
を含むことを特徴とする請求項１１記載の映像信号取得装置。
【請求項１３】
前記切り換え前の画面のサンプリング数ｐは９であり、前記切り換え後の画面のサンプリング数ｑは９であることを特徴とする請求項１２に記載の映像信号取得装置。
【請求項１４】
前記切り換え前の画面のサンプリング数ｐは１７であり、前記切り換え後の画面のサンプリング数ｑは１７であることを特徴とする請求項１２に記載の映像信号取得装置。
【請求項１５】
前記全グレースケール切換画面の切り換え前の画面のグレースケール数は２５６であり、前記全グレースケール切換画面の切り換え後の画面のグレースケール数は２５６であることを特徴とする請求項１２に記載の映像信号取得装置。
【請求項１６】
前記映像信号取得装置は、
前記全グレースケール切換画面における低グレースケール切換画面の輝度信号に対して輝度補償を行うための補償モジュールを更に含み、
前記低グレースケール切換画面の切り換え後の画面のグレースケールは０〜４８である、
ことを特徴とする請求項１１に記載の映像信号取得装置。
【発明の詳細な説明】
【技術分野】
【０００１】
本発明は信号処理分野に関し、特に映像信号取得方法及び映像信号取得装置に関する。
【背景技術】
【０００２】
社会の発展に伴って、ますます多くのユーザは、液晶ディスプレイを用いて様々な社会的活動を行う。特に、３Ｄシャッタ方式の液晶表示装置は、ユーザが３Ｄ映画を見るニーズを大きく満足できる。３Ｄシャッタ方式の液晶表示装置を使用するとき、異なるフレームの画面により左眼信号及び右眼信号を表示する必要があるため、リフレッシュ周波数が高く、左眼信号と右眼信号を切り換えるとき、切換間隔が短く、クロストーク（ｃｒｏｓｓｔａｌｋ）現象が発生しやすくなる。
【０００３】
画面のクロストーク現象を好適に解消するために、３Ｄシャッタ方式の液晶ディスプレイは、左眼信号と右眼信号を切り換えるときの切換信号をオーバードライブ駆動（ＯｖｅｒＤｒｉｖｅ）処理して、左眼信号と右眼信号の切換間隔を短縮し、クロストーク現象の発生を回避する。
【０００４】
そのため、３Ｄシャッタ方式の液晶ディスプレイの異なるグレースケール切換画面の輝度信号（該輝度信号でクロストーク現象が発生しない）の設定は、２５６×２５６組の切り換え時の輝度信号を測定することにより実現され（即ち、左眼画面のグレースケールを固定して、切り換え後の２５６のグレースケールの右眼画面の輝度信号を測定し、そして、左眼画面のグレースケールを切り換えて、２５６のグレースケールの左眼画面を切り換えるまで、切り換え後の２５６のグレースケールの右眼画面の輝度信号を測定する）、もしくは、６４×６４組の切り換え時の輝度信号を測定して、測定結果に対して線形補間を行うことにより実現される。
【０００５】
しかしながら、２５６×２５６組のグレースケールの輝度信号を測定する方法も、６４×６４組のグレースケールの輝度信号を測定する方法も、多大な測定操作又はグレースケール輝度の演算操作を行う必要があり、液晶ディスプレイの異なるグレースケールの輝度信号を取得する効率が低下する。
【０００６】
したがって、従来技術に存在している問題を解決するために、映像信号取得方法及び映像信号取得装置を提供する必要がある。
【発明の概要】
【発明が解決しようとする課題】
【０００７】
本発明の目的は、従来の映像信号取得方法及び映像信号取得装置の、液晶ディスプレイの異なるグレースケール切換画面の輝度信号を取得する効率が低下する技術問題を解決するために、液晶ディスプレイの異なるグレースケールの輝度信号を効率的に取得できる映像信号取得方法及び映像信号取得装置を提供することである。
【課題を解決するための手段】
【０００８】
上記課題を解決するために、本発明は下記技術手段を提供している。
【０００９】
本発明による映像信号取得方法は、
サンプリンググレースケールのグレースケール切換画面の輝度信号を測定するステップと、
測定された前記サンプリンググレースケールのグレースケール切換画面の輝度信号に対して二次元非線形フィッティング操作を行って、全グレースケール切換画面の輝度信号を取得するステップと、
前記全グレースケール切換画面における低グレースケール切換画面の輝度信号に対して輝度補償を行うステップとを含み、
前記低グレースケール切換画面の切り換え後の画面のグレースケールは０〜４８であり、
前記二次元非線形フィッティング操作には、二次元最小二乗法を用いてフィッティング操作を行っており、
前記二次元最小二乗法を用いてフィッティング操作を行うステップは、
前記サンプリンググレースケールのグレースケール切換画面の輝度信号に基づき下記二変数の多項式関数を構築するステップと、
2017502323.tif 000003
（ここで、ｚは前記全グレースケール切換画面の輝度信号であり、ｎは前記全グレースケール切換画面のグレースケール数である。）
【００１０】
本発明による映像信号取得方法において、前記切り換え前の画面のサンプリング数ｐは９であり、前記切り換え後の画面のサンプリング数ｑは９である。
【００１１】
本発明による映像信号取得方法において、前記切り換え前の画面のサンプリング数ｐは１７であり、前記切り換え後の画面のサンプリング数ｑは１７である。
【００１２】
本発明による映像信号取得方法において、前記全グレースケール切換画面の切り換え前の画面のグレースケール数は２５６であり、前記全グレースケール切換画面の切り換え後の画面のグレースケール数は２５６である。
【００１３】
本発明による映像信号取得方法は、
サンプリンググレースケールのグレースケール切換画面の輝度信号を測定するステップと、
測定された前記サンプリンググレースケールのグレースケール切換画面の輝度信号に対して二次元非線形フィッティング操作を行って、全グレースケール切換画面の輝度信号を取得するステップとを含み、前記二次元非線形フィッティング操作には、二次元最小二乗法を用いてフィッティング操作を行う。
【００１４】
本発明による映像信号取得方法において、前記二次元最小二乗法を用いてフィッティング操作を行うステップは、
前記サンプリンググレースケールのグレースケール切換画面の輝度信号に基づき下記二変数の多項式関数を構築するステップと、
2017502323.tif 000004
（ここで、ｚは前記全グレースケール切換画面の輝度信号であり、ｎは前記全グレースケール切換画面のグレースケール数である。）
【００１５】
本発明による映像信号取得方法において、前記切り換え前の画面のサンプリング数ｐは９であり、前記切り換え後の画面のサンプリング数は９である。
【００１６】
本発明による映像信号取得方法において、前記切り換え前の画面のサンプリング数ｐは１７であり、前記切り換え後の画面のサンプリング数は１７である。
【００１７】
本発明による映像信号取得方法において、前記全グレースケール切換画面の切り換え前の画面のグレースケール数は２５６であり、前記全グレースケール切換画面の切り換え後の画面のグレースケール数は２５６である。
【００１８】
本発明による映像信号取得方法において、前記映像信号取得方法は、
前記全グレースケール切換画面における低グレースケール切換画面の輝度信号に対して輝度補償を行うステップを更に含み、前記低グレースケール切換画面の切り換え後の画面のグレースケールは０〜４８である。
【００１９】
本発明は映像信号取得装置を更に提供する。該映像信号取得装置は、
サンプリンググレースケールのグレースケール切換画面の輝度信号を測定するためのサンプリンググレースケール輝度測定モジュールと、
測定された前記サンプリンググレースケールのグレースケール切換画面の輝度信号に対して二次元非線形フィッティング操作を行って、全グレースケール切換画面の輝度信号を取得するための全グレースケール輝度取得モジュールとを含み、
前記全グレースケール輝度取得モジュールは、二次元最小二乗法を用いて前記二次元非線形フィッティング操作を行う。
【００２０】
本発明による映像信号取得装置において、前記全グレースケール輝度取得モジュールが二次元最小二乗法を用いて前記二次元非線形フィッティング操作を行うことは、前記サンプリンググレースケールのグレースケール切換画面の輝度信号を基づき、下記二変数の多項式関数を構築するステップと、
2017502323.tif 000005
（ここで、ｚは前記全グレースケール切換画面の輝度信号であり、ｎは前記全グレースケール切換画面のグレースケール数である。）
【００２１】
本発明による映像信号取得装置において、前記切り換え前の画面のサンプリング数ｐは９であり、前記切り換え後の画面のサンプリング数は９である。
【００２２】
本発明による映像信号取得装置において、前記切り換え前の画面のサンプリング数ｐは１７であり、前記切り換え後の画面のサンプリング数は１７である。
【００２３】
本発明による映像信号取得装置において、前記全グレースケール切換画面の切り換え前の画面のグレースケール数は２５６であり、前記全グレースケール切換画面の切り換え後の画面のグレースケール数は２５６である。
【００２４】
本発明による映像信号取得装置において、前記映像信号取得装置は、
前記全グレースケール切換画面における輝度信号に対して輝度補償を行うための補償モジュールを更に含み、前記低グレースケール切換画面のグレースケールは０〜４８である。
【発明の効果】
【００２５】
従来の映像信号取得方法及び映像信号取得装置と比較して、本発明の映像信号取得方法及び映像信号取得装置がサンプリンググレースケールのグレースケール切換画面の輝度信号に対して二次元非線形フィッティング操作を行って、全グレースケール切換画面の輝度信号を取得することは、異なるグレースケール切換画面の輝度信号を効率的に取得でき、従来の映像信号取得方法及び映像信号取得装置の、液晶ディスプレイの異なるグレースケール切換画面の輝度信号を取得する効率が低下する技術的問題を解決する。
【００２６】
本発明の上記内容を更に分かり易くするために、以下において実施例を挙げ、図面と併せて詳細に説明する。
【図面の簡単な説明】
【００２７】
【図１】図１は、本発明の映像信号取得方法の第１好適な実施例のフローチャートである。
【図２】図２は、本発明の映像信号取得方法の第２好適な実施例のフローチャートである。
【図３】図３は、本発明の映像信号取得装置の第１好適な実施例の概略構成図である。
【図４】図４は、本発明の映像信号取得装置の第２好適な実施例の概略構成図である。
【図５】図５は、本発明の映像信号取得方法により取得された輝度信号と、６４×６４組のグレースケールの輝度信号を測定する方法により取得された輝度信号との比較模式図である。
【発明を実施するための形態】
【００２８】
下記各実施例の説明は、添付の図面を参照して、本発明が実施できる特定の実施例を例示する。本発明による方向の用語、例えば「上」、「下」、「前」、「後」、「左」、「右」、「内」、「外」、「側面」などは、単に図面の方向を参照するものである。従って、使用された方向用語は、本発明を説明し且つ理解するためのものであり、本発明を限定するものではない。
【００２９】
図面では、構造的に類似の要素は同じ参照番号で示されている。
【００３０】
本発明の映像信号取得方法及び映像信号取得装置は、対応する３Ｄシャッタ方式の液晶表示装置に使用できる。該３Ｄシャッタ方式の液晶表示装置はシャッタ方式の液晶ディスプレイ及びシャッタ方式の眼鏡を含む。シャッタ方式の液晶ディスプレイは、バックライト、液晶パネル及び液晶パネルを駆動して表示させる駆動回路を備える。該液晶パネルは、比較的高いリフレッシュ周波数（常に１２０Ｈｚより高い）を用いて、左眼画面及び右眼画面を交互に生成し、同時に、シャッタ方式の眼鏡も同じリフレッシュ周波数で左眼鏡レンズ及び右眼鏡レンズのオープン及びクローズを切り換える。このように、ユーザはシャッタ方式の眼鏡により３Ｄ画面をより良好的に体験できる。本発明の映像信号取得方法及び映像信号取得装置は、該シャッタ方式の液晶ディスプレイの駆動回路に使用／設置されて、液晶パネルをよりよく駆動して表示させ、クロストーク現象の発生を回避する。
【００３１】
図１を参照する。図１は、本発明の映像信号取得方法の第１好適な実施例のフローチャートである。本好適な実施例の映像信号取得方法は、
サンプリンググレースケールのグレースケール切換画面の輝度信号を測定するステップＳ１０１と、
測定されたサンプリンググレースケールのグレースケール切換画面の輝度信号に対して二次元非線形フィッティング操作を行って、全グレースケール切換画面の輝度信号を取得するステップＳ１０２とを含み、
本好適な実施例の映像信号取得方法はステップＳ１０２で終了する。
【００３２】
以下では、本好適な実施例の映像信号取得方法の各ステップの具体的な流れについて詳細に説明する。
【００３３】
ステップＳ１０１では、サンプリンググレースケールのグレースケール切換画面の輝度信号（オーバードライブ駆動信号）を測定する。該サンプリンググレースケールは、切り換え前の画面（例えば左眼画面）のグレースケール及び切り換え後の画面（例えば右眼画面）のグレースケールを含む。ここで、切り換え前の画面のグレースケールサンプリング数を１７にし、切り換え後の画面のグレースケールサンプリング数を１７にすると、全黒画面のグレースケールと全白画面のグレースケールとの間に１５グレードの中間グレースケール画面を均等に配置し、このようにサンプリングされる切り換え前の画面及び切り換え後の画面のグレースケールはいずれも０（全黒画面）、１６、３２、４８、６４、８０、９６、１１２、１２８、１４４、１６０、１７６、１９２、２０８、２２４、２４０、２５５（全白画面）である。具体的に、切り換え前の画面のグレースケールを第０グレースケールに設定し、そして、切り換え後の上述の１７のグレースケールの切り換え後の画面の駆動輝度信号を測定する。次に、切り換え前の画面のグレースケールを第１６グレースケールに設定して、切り換え後の１７のグレースケールの切り換え後の画面の駆動輝度信号を測定し、切り換え前の画面のグレースケールが第２５５グレースケールに設定されるまで測定する。これによって、サンプリンググレースケールのグレースケール切換画面の輝度信号の１７×１７行列を取得する。取得された異なるサンプリンググレースケールのグレースケール切換画面の輝度信号はいずれも、画面の切り換え時にクロストーク現象が発生しない。その後、ステップＳ１０２に移行する。
【００３４】
ステップＳ１０２では、ステップＳ１０２にて取得された輝度信号の１７×１７行列に対して二次元非線形フィッティング操作を行って、２５６×２５６行列の全グレースケール切換画面の輝度信号を取得する。本好適な実施例において、二次元最小二乗法が用いられて二次元非線形フィッティング操作は行われる。
【００３５】
具体的に、二次元最小二乗法を用いて二次元非線形フィッティング操作を行うことは、
上述のサンプリンググレースケールのグレースケール切換画面の輝度信号（１７×１７行列）に基づき下記二変数の多項式関数を構築しており、
2017502323.tif 000006
2017502323.tif 000007
【００３６】
このように、本好適な実施例の映像信号取得方法の信号取得プロセスが完了する。
【００３７】
本好適な実施例の映像信号取得方法では、切り換え前の画面のグレースケールサンプリング数を９にし、切り換え後の画面のグレースケールサンプリング数も９にしてもよい。これにより、輝度信号の測定操作の作業量はさらに低減できるが、この操作は取得された全グレースケール切換画面の輝度信号の精度の一部を犠牲する可能性がある。
【００３８】
本好適な実施例の映像信号取得方法が、サンプリンググレースケールのグレースケール切換画面の輝度信号に対して二次元非線形フィッティング操作を行って、全グレースケール切換画面の輝度信号を取得することは、異なるグレースケールの切換画面の輝度信号を効率的に取得できる。
【００３９】
図２を参照する。図２は、本発明の映像信号取得方法の第２好適な実施例のフローチャートである。本好適な実施例の映像信号取得方法は、
サンプリンググレースケールのグレースケール切換画面の輝度信号を測定するステップＳ２０１と、
測定されたサンプリンググレースケールのグレースケール切換画面の輝度信号に対して二次元非線形フィッティング操作を行って、全グレースケール切換画面の輝度信号を取得するステップＳ２０２と、
全グレースケール切換画面における低グレースケール切換画面の輝度信号に対して輝度補償を行うステップＳ２０３とを含み、
本好適な実施例の映像信号取得方法はステップＳ２０３で終了する。
【００４０】
以下では、本好適な実施例の映像信号取得方法の各ステップの具体的な流れについて詳細に説明する。
【００４１】
ステップＳ２０１の具体的な流れは、映像信号取得方法の第１好適な実施例におけるステップＳ１０１の具体的な流れと同じであり、詳しくは上述の映像信号取得方法の第１好適な実施例のステップＳ１０１を参照する。
【００４２】
ステップＳ２０２の具体的な流れは、映像信号取得方法の第１好適な実施例におけるステップＳ１０２の具体的な流れと同じであり、詳しくは上述の映像信号取得方法の第１好適な実施例のステップＳ１０２を参照する。
【００４３】
ステップＳ２０３では、ステップＳ２０２に取得された全グレースケール切換画面における低グレースケール切換画面の輝度信号に対して輝度補償を行う。ここで、低グレースケール切換画面は、切り換え後の画面のグレースケールが低グレースケールであることを指し、即ち、切り換え後の画面のグレースケールが０〜４８であることを指す。上述の二次元非線形フィッティング操作により取得された全グレースケール切換画面の輝度信号の曲面は、低グレースケール切換画面での部分が不正確である。例えば、切り換え前の画面が０グレースケールであり、切り換え後の画面が１６グレースケールであること、切り換え前の画面が１６グレースケールであり、切り換え後の画面が３２グレースケールであること等である。このため、該部分の曲面が表れる輝度信号に対して輝度補償を行う必要がある。補償後の輝度信号は一般的に、二次元非線形フィッティング操作により取得された全グレースケール切換画面の輝度信号の曲面が表れる輝度信号の約３０％であり、即ち、上述の曲面により取得された輝度信号が約７０％減少されるものである。輝度補償後の全グレースケール切換画面の輝度信号はより正確になる。
【００４４】
このように、本好適な実施例の映像信号取得方法の信号取得プロセスが完了する。
【００４５】
本好適な実施例の映像信号取得方法は、第１好適な実施例を基礎として、全グレースケール切換画面の輝度信号に対して輝度補償を行って、全グレースケール切換画面の輝度信号をさらに正確にする。
【００４６】
本発明は映像信号取得装置を更に提供する。図３を参照する。図３は、本発明の映像信号取得装置の第１好適な実施例の概略構成図である。本好適な実施例の映像信号取得装置３０は、サンプリンググレースケール輝度測定モジュール３１、及び全グレースケール輝度取得モジュール３２を備える。該サンプリンググレースケール輝度測定モジュール３１は、サンプリンググレースケール３３のグレースケール切換画面の輝度信号を測定することに用いられており、該全グレースケール輝度取得モジュール３２は、測定されたサンプリンググレースケール３３のグレースケール切換画面の輝度信号に対して二次元非線形フィッティング操作を行って、全グレースケール切換画面の輝度信号３４を取得することに用いられる。ここで、全グレースケール輝度取得モジュール３２は、二次元最小二乗法を用いて二次元非線形フィッティング操作を行う。
【００４７】
本好適な実施例の映像信号取得装置３０の使用時に、まず、サンプリンググレースケール輝度測定モジュール３１は、サンプリンググレースケール３３のグレースケール切換画面の輝度信号を測定し、そして、全グレースケール輝度取得モジュール３２は、測定されたサンプリンググレースケール３３のグレースケール切換画面の輝度信号に対して二次元非線形フィッティング操作を行って、全グレースケール切換画面の輝度信号３４を取得する。
【００４８】
このように、本好適な実施例の映像信号取得装置３０の信号取得プロセスが完了する。
【００４９】
本好適な実施例の映像信号取得装置３０の具体的な動作原理は、上述の映像信号取得方法の第１好適な実施例における関連記述と同じ又は類似であり、詳しくは上述の映像信号取得方法の第１好適な実施例における関連記述を参照する。
【００５０】
本好適な実施例の映像信号取得方法が、サンプリンググレースケールのグレースケール切換画面の輝度信号に対して二次元非線形フィッティング操作を行って、全グレースケール切換画面の輝度信号を取得することは、異なるグレースケールの切換画面の輝度信号を効率的に取得できる。図４を参照する。図４は、本発明の映像信号取得装置の第２好適な実施例の概略構成図である。本好適な実施例の映像信号取得装置４０は、サンプリンググレースケール輝度測定モジュール４１、全グレースケール輝度取得モジュール４２及び補償モジュール４５を備える。該サンプリンググレースケール輝度測定モジュール４１は、サンプリンググレースケール４３のグレースケール画面の輝度信号を測定することに用いられており、該全グレースケール輝度取得モジュール４２は、測定されたサンプリンググレースケール４３のグレースケール切換画面の輝度信号に対して二次元非線形フィッティング操作を行って、全グレースケール切換画面の輝度信号４４を取得することに用いられる。ここで、全グレースケール輝度取得モジュール４２は、二次元最小二乗法を用いて二次元非線形フィッティング操作を行う。補償モジュール４５は、全グレースケール切換画面における低グレースケール切換画面の輝度信号に対して輝度補償を行うことに用いられ、低グレースケール切換画面の切り換え後の画面のグレースケールは０〜４８である。
【００５１】
本好適な実施例の映像信号取得装置４０の使用時に、まず、サンプリンググレースケール輝度測定モジュール４１は、サンプリンググレースケール４３のグレースケール切換画面の輝度信号を測定し、そして、全グレースケール輝度取得モジュール４２は、測定されたサンプリンググレースケール４３のグレースケール切換画面の輝度信号に対して二次元非線形フィッティング操作を行って、全グレースケール切換画面の輝度信号４４を取得する。最後に、補償モジュール４５は、全グレースケール切換画面における低グレースケール切換画面の輝度信号に対して輝度補償を行う。
【００５２】
このように、本好適な実施例の映像信号取得装置４０の信号取得プロセスが完了する。
【００５３】
本好適な実施例の映像信号取得装置４０の具体的な動作原理は、上述の映像信号取得方法の第２好適な実施例における関連記述と同じ又は類似であり、詳しくは上述の映像信号取得方法の第２好適な実施例における関連記述を参照する。
【００５４】
本好適な実施例の映像信号取得装置は、第１好適な実施例を基礎として、全グレースケール切換画面の輝度信号に対して輝度補償を行って、全グレースケール切換画面の輝度信号をさらに正確にする。
【００５５】
図５を参照する。図５は、本発明の映像信号取得方法により取得された輝度信号と、６４×６４組のグレースケールの輝度信号を測定する方法により取得された輝度信号との比較模式図である。
【００５６】
図５の横軸は、切り換え後の画面のグレースケールであり、縦軸は、２種類の輝度信号の差異である。ここで、切り換え前の画面のグレースケールはいずれも０グレースケールである。図に示すように、本発明の映像信号取得方法が低グレースケール切換画面の部分で取得する輝度信号は、６４×６４組のグレースケールの輝度信号を測定する方法により取得された輝度信号との差異が大きい。そのため、全グレースケール切換画面における低グレースケール切換画面の輝度信号に対して輝度補償を行った後、本発明の映像信号取得方法により取得された輝度信号は、６４×６４組のグレースケールの輝度信号を測定する方法により取得された輝度信号とほぼ一致する。なお、本発明の映像信号取得方法は、１７×１７組のグレースケールの輝度信号のみを測定する必要があり、その測定時間はただ、６４×６４組のグレースケールの輝度信号を測定する方法にかかる測定時間の４分の１である。従って、本発明の映像信号取得方法は、液晶ディスプレイの異なるグレースケール切換画面の輝度信号を取得する効率を大きく向上させる。
【００５７】
本発明の映像信号取得方法及び映像信号取得装置が、サンプリンググレースケールのグレースケール切換画面の輝度信号に対して二次元非線形フィッティング操作を行って、全グレースケール切換画面の輝度信号を取得することは、異なるグレースケール切換画面の輝度信号を効率的に取得でき、従来の映像信号取得方法及び映像信号取得装置の、液晶ディスプレイの異なるグレースケール切換画面の輝度信号を取得する効率が低下する技術的問題を解決する。
【００５８】
以上により、本発明では好適な実施例を前述の通り開示したが、上述の好適な実施例は本発明を限定するものでなく、当業者であれば、本発明の精神と範囲から逸脱しない限り、多様の変更や修正を加えることができる。従って、本発明の保護範囲は、特許請求の範囲で指定された範囲を基準とする。
【図１】
2017502323.tif 000011
【図２】
2017502323.tif 000012
【図３】
2017502323.tif 000013
【図４】
2017502323.tif 000014
【図５】
2017502323.tif 000015
【国際調査報告】
2017502323.tif 000016
2017502323.tif 000017
2017502323.tif 000018
2017502323.tif 000019